(57)【要約】【課題】  汎用の物干し竿に使用することができ、また、容易に汚れ等を落とすことができるハンガー取り付け具を提供すること。【解決手段】  物干し竿１７０の一端には第一のストッパーを、その他端には第二のストッパー１２０を取り付け、これらの間に架け渡された環状の線状物１３０を第二のストッパー１２０の下方に垂らした部分を引っ張ることで循環させ、この線状物１３０の循環に対応させて、ハンガーフック１４０の位置を移動させることができるようにしたことを特徴とするハンガー取り付け具１００を提供する。【選択図】    図１
0003107582.tif 000002
【実用新案登録請求の範囲】
【請求項１】
一方向に延びる長さを有する物干し竿の所定の位置に取り付ける第一のストッパーと、
前記第一のストッパーから所定の間隔を空けて前記物干し竿に取り付ける第二のストッパーと、
前記第一のストッパーと前記第二のストッパーとに架け渡された環状の線状物と、
前記第一のストッパーと前記第二のストッパーとの間に配置され、前記物干し竿に対して摺動自在に取り付けることができ、かつ、ハンガーを引っ掛けることができる複数のハンガーフックと、
隣接する前記ハンガーフック同士を連結する紐状の連結部材と、
を備え、
前記紐状物は、前記第一のストッパーと前記第二のストッパーとの間で循環するようにされており、
前記第一のストッパーに隣接した位置にある一の前記ハンガーフックは、前記線状物の一カ所に固定されているハンガー取り付け具。
【請求項２】
前記線状物は、前記第一のストッパーにおいては、前記第二のストッパー側から前記第一のストッパーの内部に入り込み、前記第一のストッパーの内部において前記第二のストッパー側に送り出されるようにされており、かつ、前記第二のストッパーにおいては、前記第一のストッパー側から前記第二のストッパーの内部に入り込み、前記第二のストッパーの内部において前記第二のストッパーの下方に送り出され、前記第二のストッパーの下方に送り出された前記線状物は、前記第二のストッパーの下方の所定の位置において前記第二のストッパーに戻され、前記第二のストッパーの下方から前記第二のストッパーの内部に入り込み、前記第二のストッパーの内部において前記第一のストッパーの方向に送り出されるようにされていることにより、前記第二のストッパーの下方に送り出された前記線状物を下方に引っ張ることで、前記線状物は前記第一のストッパーと前記第二のストッパーとの間を循環するようにされていることを特徴とする請求項１に記載のハンガー取り付け具。
【請求項３】
前記第一のストッパー、前記第二のストッパー及び前記ハンガーフックは、前記物干し竿に対して着脱自在にされていることを特徴とする請求項１又は２に記載のハンガー取り付け具。
【請求項４】
前記ハンガーフックには、前記ハンガーを引っ掛けることができるリング状のハンガー引っ掛け部が形成されており、
前記ハンガー取り付け部の少なくとも下端側は、前記物干し竿の長さ方向に垂直な面に対して、上下方向を軸として、所定の角度回転させた状態にすることで、前記物干し竿の長さ方向に対する側方から前記ハンガーを引っ掛けることができるようにされていることを特徴とする請求項１乃至３の何れか一項に記載のハンガー取り付け具。
【考案の詳細な説明】
【技術分野】
【０００１】
本考案は、物干し竿にハンガーを引っ掛けるためのハンガー取り付け具に関する。
【背景技術】
【０００２】
シャツなどの洗濯物は、ハンガーに掛けてから物干し竿に吊して干すのが一般的であるが、このようにして干す場合、物干し竿に所定の間隔を空けてハンガーを吊さなければならず、不便であった。
【０００３】
特に、ベランダではなく窓の外側に備え付けられている物干し竿にハンガーを吊す場合には、まず、片方の窓からハンガーを吊して、片方の窓から届く範囲の物干しにハンガーを吊し終わったら、また他方の窓からハンガーを吊さなければならず、不便であり、さらに、物干し竿が備え付けられている窓の周囲に、箪笥などの収納物が置いてある場合には、窓からハンガーを吊すスペースが充分にとれず、不便であった。
【０００４】
このような不便さを解消するために、従来では、図１３に表されているように、実開平７−２９５号公報に記載された物干し竿５００が使用されている。
【０００５】
実開平７−２９５号公報に記載されている物干し竿５００は、物干し竿本体５０１の下面に形成されている案内レール部５０２に対して滑動自在にされているハンガー取り付け部５０３を紐５０４により連結し、この紐５０４を物干し竿本体５０１内の一端から他端にかけて循環自在にしておくことで、この紐５０４を循環させて、ハンガー取り付け部５０３に取り付けられるハンガー５０５の位置を物干し竿本体５０１の一端から他端まで移動させることができるようにされている。
【考案の開示】
【考案が解決しようとする課題】
【０００６】
しかしながら、実開平７−２９５号公報に記載されている物干し竿５００は、物干し竿本体５０１自体に案内レール部５０２、ハンガー取り付け部５０３及び紐５０４を形成しなければならず、汎用の物干し竿をそのまま使用することはできなかった。
【０００７】
また、案内レール部５０２に汚れ等が付着すると、ハンガー取り付け部５０３の滑動が円滑に行われなくなってしまうが、物干し竿本体５０１の内部に案内レール部５０２があるため、容易にこの汚れ等を落とすことができなかった。
【０００８】
そこで、本考案は、汎用の物干し竿に使用することができ、また、容易に汚れ等を落とすことができるハンガー取り付け具を提供することを目的とする。
【課題を解決するための手段】
【０００９】
以上の課題を解決するため、本考案は、一方向に延びる長さを有する物干し竿の所定の位置に取り付ける第一のストッパーと、前記第一のストッパーから所定の間隔を空けて前記物干し竿に取り付ける第二のストッパーと、前記第一のストッパーと前記第二のストッパーとに架け渡された環状の線状物と、前記第一のストッパーと前記第二のストッパーとの間に配置され、前記物干し竿に対して摺動自在に取り付けることができ、かつ、ハンガーを引っ掛けることができる複数のハンガーフックと、隣接する前記ハンガーフック同士を連結する紐状の連結部材と、を備え、前記紐状物は、前記第一のストッパーと前記第二のストッパーとの間で循環するようにされており、前記第一のストッパーに隣接した位置にある一の前記ハンガーフックは、前記線状物の一カ所に固定されているハンガー取り付け具を提供する。
【００１０】
このようなハンガー取り付け具を提供することにより、第一のストッパーと第二のストッパーとの間に架け渡された線状物を循環させて、この循環動作により、第一のストッパーと第二のストッパーとの間に配置されているハンガーフックの位置を変えることができるようになる。
【００１１】
具体的には、線状物を、第一のストッパーにおいては、第二のストッパー側から第一のストッパーの内部に入り込み、第一のストッパーの内部において第二のストッパー側に送り出されるようにし、かつ、第二のストッパーにおいては、第一のストッパー側から第二のストッパーの内部に入り込み、第二のストッパーの内部において第二のストッパーの下方に送り出され、第二のストッパーの下方に送り出されたこの線状物は、第二のストッパーの下方の所定の位置において第二のストッパーに戻され、第二のストッパーの下方から第二のストッパーの内部に入り込み、第二のストッパーの内部において第一のストッパーの方向に送り出されるようにされていることにより、第二のストッパーの下方に送り出された線状物を下方に引っ張ることで、線状物は前記第一のストッパーと前記第二のストッパーとの間を循環するようになる。
【００１２】
従って、第二のストッパーの近傍でハンガーフックにハンガーを引っ掛けて、第二のストッパーの下方に送り出された線状物の一方を下方に引っ張ることで、線状物に固定されているハンガーフック（第一のストッパーに隣接した位置にあるハンガーフック）が第一のストッパー側に送り出されるとともに、隣接したハンガーフック同士は紐状の連結部材により連結されているため、次々に、他のハンガーフックも第一のストッパー側に送り出される。
【００１３】
一方、第一のストッパー側に送り出されたハンガーフックは、第二のストッパーの下方に送り出された線状物の他方（ハンガーフックを第一のストッパー側に送り出した際に使用した線状物とは反対側）を下方に引っ張ることで、線状物に固定されているハンガーフックが第二のストッパー側に戻されるとともに、隣接したハンガーフック同士が接触して、次々に、他のハンガーフックも第二のストッパー側に戻される。
【００１４】
ここで、第一のストッパー、第二のストッパー及びハンガーフックは、物干し竿に対して着脱自在にしておくことで、汎用の物干し竿に取り付けて使用することができるようにされている。
【００１５】
また、第一のストッパー、第二のストッパー及びハンガーフックは、物干し竿に対して着脱自在にした場合には、線状物の長さを調節することができるようにしておくことで、様々な長さの物干し竿に使用することが可能となる。
【００１６】
例えば、線状物を、複数のチェーンを連結することにより形成し、任意の個数のチェーンを着脱可能にしておくことにより、この紐状物の長さを調節することができるようになる。
【００１７】
ここで、通常、物干し竿にハンガーを引っ掛ける場合には、物干し竿の長さ方向に対して側方から引っ掛けるのが一般的であるため、ハンガーフックを物干し竿に取り付けた際に、このハンガーフックには、物干し竿の長さ方向に対する側方からハンガーを引っ掛けることができるようにしておくことが望ましい。
【００１８】
例えば、ハンガーフックには、物干し竿の長さ方向に対する側方に向かって開口する貫通孔を形成しておくことにより、物干し竿の長さ方向に対する側方からハンガーを引っ掛けることができるようになる。
【００１９】
また、ハンガーフックには、ハンガーを引っ掛けることができるリング状のハンガー引っ掛け部を形成しておき、このハンガー取り付け部の少なくとも下端側を、物干し竿の長さ方向に垂直な面に対して、上下方向を軸として、所定の角度回転させた状態にしておくことで、物干し竿の長さ方向に対する側方からハンガーを引っ掛けることができるようになる。
【００２０】
なお、以上に記載したハンガー取り付け具は、ハンガー取り付け具単独で提供することも可能であり、また、物干し竿と組み合わせて提供することも可能である。
【考案の効果】
【００２１】
以上のように、本考案によれば、物干し竿に沿って循環する線状物に取り付けられているハンガーフックにハンガーを引っ掛けることができるため、一カ所に留まって、洗濯物を干すことができる。
【００２２】
また、本考案に係るハンガー取り付け具を物干し竿に対して着脱自在にすることで、汎用の物干し竿に使用することができ、また、容易に汚れ等を落とすことができるようになる。
【００２３】
さらに、線状物の長さを調節することができるようにすることで、物干し竿の長さと線状物の長さとを合わせることができるようになる。
【００２４】
加えて、物干し竿の側方からハンガーフックにハンガーを引っ掛けることができるようにすることで、ハンガーフックにハンガーを容易に引っ掛けることができるようになる。
【考案を実施するための最良の形態】
【００２５】
図１は、本考案の第一の実施形態に係るハンガー取り付け具１００と物干し竿１７０の斜視図である。
【００２６】
本実施形態に係るハンガー取り付け具１００は、第一のストッパー１１０と、第二のストッパー１２０と、線状物１３０と、ハンガーフック１４０と、により構成されている。
【００２７】
図２（第一のストッパー１１０の斜視図）に表されているように、本実施形態に係る第一のストッパー１１０は、全体として長方形に形成されており、一の面１１０ａから、この一の面１１０ａに対向する二の面１１０ｂに向かって、円柱状の貫通孔１１１が形成されており、この貫通孔１１１に物干し竿１７０を通して接着剤で接着することにより物干し竿１７０の所定の位置に取り付けることができるようにされている。
【００２８】
また、第一のストッパー１１０の一の面１１０ａには、第一の開口部１１２ａと、第二の開口部１１２ｂが設けられており、これらの第一の開口部１１２ａと第二の開口部１１２ｂとは、第一のストッパー１１０の内部に形成されたＵ字状通路１１３により連通している。
【００２９】
ここで、第一の開口部１１２ａ、第二の開口部１１２ｂ及びＵ字状通路１１３の大きさ・形状については、後述する線状物１３０を通して、この線状物１３０をＵ字状通路１１３内において摺動自在にすることができる範囲で適宜選択することができる設計事項である。
【００３０】
なお、本実施形態においては、Ｕ字状通路１１３により第一のストッパー１１０の内部に挿入される線状物１３０を第二のストッパー１２０の側に送り返すようにしているが、このような構成には限定されず、例えば、一の面１１０ａから二の面１１０ｂに抜ける二つの貫通孔を設けることにより、第二のストッパー１２０側から入り込んだ線状物１３０を第二のストッパー１２０側に送り返すようにすることも可能である。
【００３１】
このようなＵ字状通路１１３を第一のストッパー１１０に設けたので、第一の開口部１１２ａから後述する線状物１３０の先端を挿入して、押し込むことにより、第二の開口部１１２ｂからこの線状物１３０の先端が送り出されることとなる。
【００３２】
図３（第二のストッパー１２０の斜視図）に表されているように、本実施形態に係る第二のストッパー１２０も、第一のストッパー１１０と同様に、全体として長方形に形成されており、一の面１２０ａから、この一の面１２０ａに対向する二の面１２０ｂに向かって、円柱状の貫通孔１２１が形成されており、この貫通孔１２１に物干し竿１７０を通して接着剤で接着することにより物干し竿１７０の所定の位置に取り付けることができるようにされている。
【００３３】
第二のストッパー１２０の一の面１２０ａには、第一の開口部１２２ａと、第二の開口部１２２ｂと、が設けられている。
【００３４】
また、一の面１２０ａの下方に位置する三の面１２０ｃには、第三の開口部１２２ｃと、第四の開口部１２２ｄと、が設けられている。
【００３５】
そして、第一の開口部１２２ａと第三の開口部１２２ｃとは、第一の開口部１２２ａから一の面１２０ａに対して垂直方向に進む第一の通路部１２３ａと、第三の開口部１２２ｃから三の面１２０ｃに対して垂直方向に進む第二の通路部１２３ｂと、が第二のストッパー１２０の内部において連通して、第一の屈折通路１２３Ａとなるようにされている。
【００３６】
このような第一の屈折通路１２３Ａを第二のストッパー１２０に設けたので、第一の開口部１２２ａから後述する線状物１３０の先端を挿入して、押し込むことにより、第三の開口部１２２ｃからこの線状物１３０の先端が送り出されることとなる。
【００３７】
同様に、第二の開口部１２２ｂと第四の開口部１２２ｄとは、第二の開口部１２２ｂから一の面１２０ａに対して垂直方向に進む第三の通路部１２３ｃと、第四の開口部１２２ｄから三の面１２０ｃに対して垂直方向に進む第四の通路部１２３ｄと、が第二のストッパー１２０の内部において連通して、第二の屈折通路１２３Ｂとなるようにされている。
【００３８】
このような第二の屈折通路１２３Ｂを第二のストッパー１２０に設けたので、第二の開口部１２２ｂから後述する線状物１３０の先端を挿入して、押し込むことにより、第四の開口部１２２ｄからこの線状物１３０の先端が送り出されることとなる。
【００３９】
本実施形態に係る線状物１３０は、ナイロン樹脂からなる繊維を編み込むことにより形成されている。
【００４０】
そして、一本の紐状にされた線状物１３０の一端を、第二のストッパー１２０の第一の開口部１２２ａから第三の開口部１２２ｃに送り出し、第二のストッパー１２０の下方に所定の長さ垂らした後、第二のストッパー１２０の方に送り返し、第四の開口部１２３ｄから第二の開口部１２２ｂに送り出し、第一のストッパー１１０の第二の開口部１１２ｂから第一の開口部１１２ａに送り出した後、線状物１３０の一端とその他端とを固定的に連結することにより、線状物１３０は環状にされている。
【００４１】
なお、線状物１３０の長さについては、図１に表されているように、第一のストッパー１１０と第二のストッパー１２０とを所定の間隔を空けて物干し竿１７０に取り付けた際に、第二のストッパー１２０の下方に所定の程度の長さが余る程度の長さを備えておけばよい。
【００４２】
ここで、第二のストッパー１２０の下方に線状物１３０をどの程度余らすかは、この余らせた部分を下方に引っ張ることで、第一のストッパー１１０と第二のストッパー１２０との間に架け渡された線状物１３０を循環させることができる範囲で適宜選択することができる設計事項である。
【００４３】
本実施形態に係るハンガーフック１４０は、図４（ハンガーフック１４０の斜視図）に表されているように、ハンガーフック本体１４１と、ハンガー引っ掛け部１４２と、により構成されている。
【００４４】
ハンガーフック本体１４１には、物干し竿１７０を通して、この物干し竿１７０に対してハンガーフック１４０を摺動自在にするための貫通孔１４３が形成されている。
【００４５】
ここで、この貫通孔１４３の大きさ・形状については、物干し竿１７０を通して、この物干し竿１７０に対してハンガーフック１４０を摺動自在にすることができる範囲で適宜選択することができる設計事項であるが、本実施形態においては、この貫通孔１４３に物干し竿１７０と線状物１３０とを通して、なお、これらの物干し竿１７０及び線状物１３０と貫通孔１４３の内壁面１４３ａとの間に適当な余裕があり、物干し竿１７０に沿って、ハンガーフック１４０が摺動し得るようにしている。
【００４６】
ハンガーフック１４０の外側面の下端には、ハンガー引っ掛け部１４２が形成されている。
【００４７】
ハンガー引っ掛け部１４２には、ハンガーフック本体１４１に形成されている貫通孔１４３が開口している方向とは垂直となる方向に開口するように貫通孔１４４が形成されている。
【００４８】
この貫通孔１４４の大きさ・形状については、ハンガーを引っ掛けることができる範囲で適宜選択することができる設計事項であるが、ハンガーフック本体１４１に形成されている貫通孔１４３が開口している方向とは垂直となる方向に開口するように形成することで、物干し竿１７０の側方からこの貫通孔１４４にハンガーを引っ掛けることができるようにされている。
【００４９】
ここで、本実施形態においては、ハンガーフック１４０を六つ備えているが、これらのハンガーフック１４０は、隣接するもの同士が、線状物１３０と同様に、ナイロン樹脂からなる繊維を編み込んだ紐により形成されており所定の長さを有する連結部材１５０により連結されている。
【００５０】
なお、連結部材１５０の長さについては、ハンガーフック１４０に引っ掛けるハンガーに取り付ける洗濯物を干すのに好適な長さを適宜選択すればよい。
【００５１】
また、この六つのハンガーフック１４０の内、第一のストッパー１４０に最も近いハンガーフック１４０Ａについては、線状物１３０の一カ所において固定されており、他のハンガーフック１４０については線状物１３０に固定されていない。
【００５２】
ここで、第一のストッパー１４０に最も近いハンガーフック１４０Ａは、線状物１３０の任意の一カ所において固定すればよいが、本実施形態においては、図１の手前側の線状物１３０に固定されている。
【００５３】
以上のように本実施形態に係るハンガー取り付け具１００を形成したので、図１に表されているように、物干し竿１７０に取り付けることで、ハンガーフック１４０を第一のストッパー１１０側に送り出す方向に線状物１３０を循環させることにより（本実施形態では、図１の手前側の線状物１３０にハンガーフック１４０Ａを固定しているので、図１の矢印Ｓの方向に引っ張ることにより）、線状物１３０に固定されているハンガーフック１４０Ａが第一のストッパー１１０側に送り出されるとともに、このハンガーフック１４０Ａに連結部材１５０を介して連結されている他のハンガーフック１４０についても、第一のストッパー１１０側に送り出される。
【００５４】
この際、連結部材１５０は所定の長さを備えているため、この連結部材１５０の長さ分だけ、ハンガーフック１４０同士の間隔が空くようにされている。
【００５５】
一方、ハンガーフック１４０を第二のストッパー１２０側に送り戻す方向に線状物１３０を循環させることにより（本実施形態では、図１の手前側の線状物１３０にハンガーフック１４０Ａを固定しているので、図１の矢印Ｔの方向に引っ張ることにより）、線状物１３０に固定されているハンガーフック１４０Ａが第二のストッパー１２０側に送り戻されるとともに、このハンガーフック１４０Ａに押し返されるようにして、他のハンガーフック１４０についても、第二のストッパー１２０側に送り戻される。
【００５６】
この際、ハンガーフック１４０同士が接触することにより、第二のストッパー１２０側に送り戻されるため、ハンガーフック１４０は第二のストッパー１２０側にまとまるようにされている。
【００５７】
このようにして、第一のストッパー１１０と第二のストッパー１２０との間に配置されたハンガーフック１４０を第二のストッパー１２０側から第一のストッパー１１０側に所定の間隔を離して送り出されるため、第二のストッパー１２０側にまとまっているハンガーフック１４０に洗濯物を取り付けたハンガーを掛けて、第一のストッパー１１０側に送り出すことで、洗濯物同士が所定の間隔を空けて物干し竿に干すことができるようになる。
【００５８】
また、このようにして干された洗濯物については、第二のストッパー１２０側にまとめて送り戻されるため、容易に取り込むことができるようになる。
【００５９】
図５は、本考案の第二の実施形態に係るハンガー取り付け具２００と物干し竿１７０の斜視図である。
【００６０】
本実施形態に係るハンガー取り付け具２００は、第一の実施形態と同様に、第一のストッパー２１０と、第二のストッパー２２０と、線状物２３０と、ハンガーフック２４０と、により構成されている。
【００６１】
図６（第一のストッパー２１０の斜視図）に表されているように、本実施形態に係る第一のストッパー２１０は、第一の実施形態とは異なり、縦断面が上下方向に長い楕円形となるような卵形に形成されており、その中央部を貫通するように円柱状の貫通孔２１１が形成されている。
【００６２】
また、第一のストッパー２１０には、第一のストッパー２１０の中央部においてこの貫通孔２１１と垂直方向から連通するネジ穴２１４が形成されており、貫通孔２１１に物干し竿１７０を挿入した状態で、このネジ穴２１４に螺合する雄ネジ２１５を有する固定部材２１６をネジ込むことで、第一のストッパー２１０は、物干し竿１７０に着脱自在に取り付けることができるようにされている。
【００６３】
第一のストッパー２１０には、貫通孔２１１の開口部と同じ方向に向かって開口する第一の開口部２１２ａと、第二の開口部２１２ｂが設けられており、これらの第一の開口部２１２ａと第二の開口部２１２ｂとは、第一のストッパー２１０の内部に形成されたＵ字状通路２１３により連通している。
【００６４】
ここで、第一の開口部２１２ａ、第二の開口部２１２ｂ及びＵ字状通路２１３の大きさ・形状については、後述する線状物２３０を通して、この線状物２３０をＵ字状通路２１３内において摺動自在にすることができる範囲で適宜選択することができる設計事項である。
【００６５】
このようなＵ字状通路２１３を第一のストッパー２１０に設けたので、第一の実施形態と同様に、第一の開口部２１２ａから後述する線状物１３０の先端を挿入して、押し込むことにより、第二の開口部２１２ｂからこの線状物２３０の先端が送り出されることとなる。
【００６６】
図７（第二のストッパー２２０の斜視図）に表されているように、本実施形態に係る第二のストッパー２２０も、第一のストッパー２１０と同様に、縦断面が上下方向に長い楕円形となるような卵形に形成されており、第二のストッパー２２０の中央部を通るように、円柱状の貫通孔２２１が形成されている。
【００６７】
また、第二のストッパー２２０にも、第一のストッパー２１０と同様に、第二のストッパー２２０の中央部においてこの貫通孔２２１と垂直方向から連通するネジ穴２２４が形成されており、貫通孔２２１に物干し竿１７０を挿入した状態で、このネジ穴２２４に螺合する雄ネジ２２５を有する固定部材２２６をネジ込むことで、第二のストッパー２２０は、物干し竿１７０に着脱自在に取り付けることができるようにされている。
【００６８】
第二のストッパー２２０には、貫通孔２２１の開口部と同じ方向に開口するように、第一の開口部２２２ａと、第二の開口部２２２ｂと、が設けられており、また、貫通孔２２１の開口部に対して垂直方向に開口するように、第三の開口部２２２ｃと、第四の開口部２２２ｄと、が設けられている。
【００６９】
そして、第一の開口部２２２ａと第三の開口部２２２ｃとは、第一の開口部２２２ａから貫通孔２２１と同じ方向に進む第一の通路部２２３ａと、第三の開口部２２２ｃから貫通孔２２１に対して垂直方向に進む第二の通路部２２３ｂと、が第二のストッパー２２０の内部において連通して、第一の屈折通路２２３Ａとなるようにされている。
【００７０】
このような第一の屈折通路２２３Ａを第二のストッパー２２０に設けたので、第一の実施形態と同様に、第一の開口部２２２ａから後述する線状物２３０の先端を挿入して、押し込むことにより、第三の開口部２２２ｃからこの線状物２３０の先端が送り出されることとなる。
【００７１】
同様に、第二の開口部２２２ｂと第四の開口部２２２ｄとは、第二の開口部２２２ｂから貫通孔２２１と同じ方向に進む第三の通路部２２３ｃと、第四の開口部２２２ｄから貫通孔２２１に対して垂直方向に進む第四の通路部２２３ｄと、が第二のストッパー２２０の内部において連通して、第二の屈折通路２２３Ｂとなるようにされている。
【００７２】
このような第二の屈折通路２２３Ｂを第二のストッパー２２０に設けたので、第二の開口部２２２ｂから後述する線状物２３０の先端を挿入して、押し込むことにより、第四の開口部２２２ｄからこの線状物２３０の先端が送り出されることとなる。
【００７３】
本実施形態に係る線状物２３０は、ステンレスからなるチェーンにより形成されているおり、第一の実施形態と同様に、一本の直線状にされた線状物２３０の一端を、第二のストッパー２２０の第一の開口部２２２ａから第三の開口部２２２ｃに送り出し、第二のストッパー２２０の下方に所定の長さ垂らした後、第二のストッパー２２０の方に送り返し、第四の開口部２２３ｄから第二の開口部２２２ｂに送り出し、第一のストッパー２１０の第二の開口部２１２ｂから第一の開口部２１２ａに送り出した後、線状物２３０の一端とその他端とを固定的に連結することにより、線状物２３０は環状にされている。
【００７４】
なお、線状物２３０の長さについては、図５に表されているように、第一のストッパー２１０と第二のストッパー２２０とを所定の間隔を空けて物干し竿１７０に取り付けた際に、第二のストッパー２２０の下方に所定の程度の長さが余る程度の長さを備えておけばよい。
【００７５】
ここで、第二のストッパー２２０の下方に線状物２３０をどの程度余らすかは、この余らせた部分を下方に引っ張ることで、第一のストッパー２１０と第二のストッパー２２０との間に架け渡された線状物２３０をこれらの間で循環させることができる範囲で適宜選択することができる設計事項である。
【００７６】
本実施形態に係るハンガーフック２４０は、図８（ハンガーフック２４０の斜視図）に表されているように、ハンガーフック本体２４１と、ハンガー引っ掛け部２４２と、により構成されている。
【００７７】
ハンガーフック本体２４１には、物干し竿１７０を通して、この物干し竿１７０に対してハンガーフック２４０を摺動自在にするための貫通孔２４３が形成されている。
【００７８】
ここで、この貫通孔２４３の大きさ・形状については、物干し竿１７０を通して、この物干し竿１７０に対してハンガーフック２４０を摺動自在にすることができる範囲で適宜選択することができる設計事項であるが、本実施形態においては、この貫通孔２４３に物干し竿１７０と線状物２３０とを通して、なお、これらの物干し竿１７０及び線状物２３０と貫通孔２４３の内壁面２４３ａとの間に適当な余裕があり、物干し竿１７０に沿って、ハンガーフック２４０が余裕で摺動し得るようにしている。
【００７９】
ハンガーフック２４０の外側面の下端には、ハンガー引っ掛け部２４２が形成されている。
【００８０】
本実施形態におけるハンガー引っ掛け部２４２は、貫通孔２４３と同じ方向に開口するように、リング状に形成されているが、図９（ハンガーフック２４０の側面図）に表されているように、その下端側は、貫通孔２４３の開口面に対して、上下方向を軸として、所定の角度回転させた状態、即ち、ハンガー引っ掛け部２４２は、その上端側に対して下端側が所定の角度ねじられた状態にされているため、物干し竿１７０の側方からハンガーを引っ掛けることができるようにされている。
【００８１】
ここで、本実施形態においては、ハンガーフック２４０を七つ備えているが、第一の実施形態と同様に、これらのハンガーフック２４０は、隣接するもの同士が、ナイロン樹脂からなる繊維を編み込んだ紐により形成されており所定の長さを有する連結部材２５０により連結されている。
【００８２】
なお、連結部材２５０の長さについても、第一の実施形態と同様に、ハンガーフック２４０に引っ掛けるハンガーに取り付ける洗濯物を干すのに好適な長さを適宜選択すればよい。
【００８３】
また、この七つのハンガーフック２４０の内、第一のストッパー２４０に最も近い位置にあるハンガーフック２４０Ａについては、線状物２３０の一カ所において固定されていることについても、第一の実施形態と同様である。
【００８４】
以上のように本実施形態に係るハンガー取り付け具２００を形成したので、図５に表されているように物干し竿１７０に取り付けることで、ハンガーフック２４０を第一のストッパー２１０側に送り出す方向に線状物２３０を循環させることにより（本実施形態では、図５の手前側の線状物２３０にハンガーフック２４０Ａを固定しているので、図５の矢印Ｓの方向に引っ張ることにより）、線状物２３０に固定されているハンガーフック２４０Ａが第一のストッパー２１０側に送り出されるとともに、このハンガーフック２４０Ａに連結部材２５０を介して連結されている他のハンガーフック２４０についても、第一のストッパー２１０側に送り出される。
【００８５】
この際、連結部材２５０は所定の長さを備えているため、この連結部材２５０の長さ分だけ、ハンガーフック２４０同士の間隔が空くようにされている。
【００８６】
一方、第一のストッパー２１０で折り返されている紐状物２３０の内、ハンガーフック２４０を第二のストッパー１１０側に送り戻す方向に線状物２３０を循環させることにより（本実施形態では、図５の手前側の線状物２３０にハンガーフック２４０Ａを固定しているので、図５の矢印Ｔの方向に引っ張ることにより）、線状物２３０に固定されているハンガーフック２４０Ａが第二のストッパー２２０側に送り戻されるとともに、このハンガーフック２４０Ａに押し返されるようにして、他のハンガーフック２４０についても、第二のストッパー２２０側に送り戻される。
【００８７】
この際、ハンガーフック２４０同士が接触することにより、第二のストッパー２２０側に送り戻されるため、ハンガーフック２４０は第二のストッパー２２０側にまとまるようにされている。
【００８８】
このようにして、第一のストッパー２１０と第二のストッパー２２０との間に配置されたハンガーフック２４０を第二のストッパー２２０側から第一のストッパー２１０側に所定の間隔を離して送り出されるため、第二のストッパー２２０側にまとまっているハンガーフック２４０に洗濯物を取り付けたハンガーを掛けて、第一のストッパー２１０側に送り出すことで、洗濯物同士が所定の間隔を空けて物干し竿に干すことができるようになる。
【００８９】
また、このようにして干された洗濯物については、第二のストッパー２２０側にまとめて送り戻されるため、容易に取り込むことができるようになる。
【００９０】
図１０は、本考案の第三の実施形態に係るハンガー取り付け具３００と物干し竿１７０の斜視図である。
【００９１】
本実施形態に係るハンガー取り付け具３００は、第一のストッパー２１０と、第二のストッパー２２０と、線状物３３０と、ハンガーフック３４０と、により構成されており、第二の実施形態と比較して、線状物３３０及びハンガーフック３４０だけが相異しているため、以下、線状物３３０及びハンガーフック３４０に関する事項についてのみ説明する。
【００９２】
本実施形態に係る線状物３３０は、第二の実施形態と同様に、ステンレスからなるチェーンにより形成されているが、線状物３３０の少なくとも二カ所以上に（本実施形態においては二カ所に）、図１１（線状物３３０の正面図）に表されているように、線状物３３０同士を連結する連結環３３１が設けられている。
【００９３】
連結環３３１は、Ｃ字状の連結環本体３３１ａと、開閉部材３３１ｂと、により構成されている。
【００９４】
開閉部材３３１ｂの一端は、Ｃ字状に形成されている連結環本体３３１ａの一端に回動自在に連結されており、開閉部材３３１ｂの他端は、連結環本体３３１ａの内側から外側に向かって付勢され、連結環本体３３１ａの内側面に接触している。
【００９５】
従って、開閉部材３３１ｂの他端を連結環本体３３１ａの内側方向に押し込むことにより、Ｃ字状に形成されている連結環本体３３１ａの不連続部分から、チェーンを着脱することができるようにされている。
【００９６】
このような連結環３３１を線状物３３０に少なくとも二カ所以上に設けているため、連結環３３１により挟まれた部分のチェーンを外すことで、線状物３３０の長さを変えることができるようにされており、物干し竿１７０の長さに応じて、線状物３３０の長さを変えることができる。
【００９７】
本実施形態に係るハンガーフック３４０は、図１２（ハンガーフック３４０の斜視図）に表されているように、ハンガーフック本体３４１と、ハンガー引っ掛け部３４２と、により構成されている。
【００９８】
第二の実施形態においては、ハンガーフック本体２４１に貫通孔２４３を設けて、この貫通孔２４３に物干し竿１７０を通すことで、物干し竿１７０に引っ掛けることができるようにしているが、本実施形態においては、ハンガーフック本体３４１を鉤状に形成することにより、物干し竿１７０に引っ掛けることができるようにしている。
【００９９】
また、本実施形態においては、ハンガー引っ掛け部３４２についても鉤状に形成することで、ハンガーを引っ掛けることができるようにされている。
【０１００】
なお、図１２に表されているように、鉤状に形成されたハンガーフック本体３４１には、下方から物干し竿１７０を引っ掛けることができるようにされており、一方、ハンガー引っ掛け部３４２には、上方からハンガーを引っ掛けることができるようにされている。
【０１０１】
なお、ハンガーフック本体３４１の上端部３４１ａの延びる方向と、ハンガー引っ掛け部３４２の下端部３４２ａの延びる方向とは、垂直方向に交わるようにされているため、ハンガーフック本体３４１を物干し竿１７０に引っ掛けた状態で、物干し竿１７０の側方からハンガー引っ掛け部３４２にハンガーを引っ掛けることができるようにされている。
【０１０２】
ハンガーフック３４０を以上のように形成したので、ハンガーフック３４０を物干し竿１７０から容易に着脱することができる。
【０１０３】
なお、以上に記載したハンガー取り付け具１００、２００、３００は、ハンガー取り付け具１００、２００、３００単独で販売等の提供をすることも可能であり、また、物干し竿１７０と組み合わせた状態で販売等の提供をすることも可能である。
【図面の簡単な説明】
【０１０４】
【図１】第一の実施形態に係るハンガー取り付け具１００と物干し竿１７０の斜視図。
【図２】第一のストッパー１１０の斜視図。
【図３】第二のストッパー１２０の斜視図。
【図４】ハンガーフック１４０の斜視図。
【図５】第二の実施形態に係るハンガー取り付け具２００と物干し竿１７０の斜視図。
【図６】第一のストッパー２１０の斜視図。
【図７】第二のストッパー２２０の斜視図。
【図８】ハンガーフック２４０の斜視図。
【図９】ハンガーフック２４０の側面図。
【図１０】第三の実施形態に係るハンガー取り付け具３００と物干し竿１７０の斜視図。
【図１１】線状物３３０の正面図。
【図１２】ハンガーフック３４０の斜視図。
【図１３】従来の物干し竿５００の正面図。
【符号の説明】
【０１０５】
１００、２００、３００  ハンガー取り付け具
１１０、２１０  第一のストッパー
１２０、２２０  第二のストッパー
１３０、２３０、３３０  線状物
１４０、２４０、３４０  ハンガーフック
１５０、２５０  連結部材
【図１】
0003107582.tif 000003
【図２】
0003107582.tif 000004
【図３】
0003107582.tif 000005
【図４】
0003107582.tif 000006
【図５】
0003107582.tif 000007
【図６】
0003107582.tif 000008
【図７】
0003107582.tif 000009
【図８】
0003107582.tif 000010
【図９】
0003107582.tif 000011
【図１０】
0003107582.tif 000012
【図１１】
0003107582.tif 000013
【図１２】
0003107582.tif 000014
【図１３】
0003107582.tif 000015